(57)【要約】【課題】撮影している画像を表示装置に表示する場合の表示遅延時間を低減させて使用者の表示遅延による違和感を解消する。【解決手段】本発明の撮像装置は、撮像素子の出力画像を縮小する第１の画像縮小部と、前記第１の画像縮小部による縮小後の画像を記憶する記憶部と、前記記憶部に記憶された画像を出力する外部出力部と、撮影している画像を表示する表示部と、前記第１の画像縮小部による縮小後の画像を、前記記憶部に記憶させることなく前記表示部の大きさに縮小処理する第２の画像縮小部と、前記表示部の大きさの画像に信号処理を行う表示部用信号処理部と、を有することを特徴とする。【選択図】図１
2014154909.tif 000002
【特許請求の範囲】
【請求項１】
撮像素子の出力画像を縮小する第１の画像縮小部と、
前記第１の画像縮小部による縮小後の画像を記憶する記憶部と、
前記記憶部に記憶された画像を出力する外部出力部と、
撮影している画像を表示する表示部と、
前記第１の画像縮小部による縮小後の画像を、前記記憶部に記憶させることなく前記表示部の大きさに縮小処理する第２の画像縮小部と、
前記表示部の大きさの画像に信号処理を行う表示部用信号処理部と、を有することを特徴とする撮像装置。
【請求項２】
前記記憶部に記憶された画像を前記表示部の大きさに縮小処理する第３の画像縮小部と、
前記第２の画像縮小部により縮小された画像と前記第３の画像縮小部により縮小された画像のうち、前記表示部に表示するための画像を選択する切替部と、を有し、
前記表示部には、第２の画像縮小部により縮小された画像と前記第３の画像縮小部により縮小された画像のどちらが表示されているか示されていることを特徴とする請求項１に記載の撮像装置。
【請求項３】
前記第１の画像縮小部による縮小後の画像に前記外部出力部のための信号処理を行う信号処理部を有し、
前記信号処理部は、ノイズリダクション処理、ＲＧＢ画像信号をＹＣＣ画像信号に変換する処理、画像の大きさを変更する処理、画像の歪の補正処理、防振処理のうち少なくとも１つの処理を行うことを特徴とする請求項１又は２に記載の撮像装置。
【請求項４】
前記第２の画像縮小部は、ＲＧＢ画像信号の処理及びＹＣＣ画像信号の処理のうち少なくとも１つの処理を行うことを特徴とする請求項１から３のいずれか１項に記載の撮像装置。
【請求項５】
前記表示部用信号処理部は、ノイズリダクション処理、ＲＧＢ画像信号をＹＣＣ画像信号に変換する処理、画像の大きさを変更する処理、画像の歪の補正処理、防振処理、色調整処理、解像度調整処理のうち少なくとも１つの処理を行うことを特徴とする請求項１から４のいずれか１項に記載の撮像装置。
【請求項６】
前記撮像素子及び前記表示部の駆動周期の同期を制御する制御部を有し、
前記制御部は、前記撮像素子及び前記表示部のそれぞれの駆動周期と駆動遅延量を制御可能であることを特徴とする請求項１から５のいずれか１項に記載の撮像装置。
【発明の詳細な説明】
【技術分野】
【０００１】
本発明は、撮影している画像を表示する表示部を備えた撮像装置に関する。
【背景技術】
【０００２】
従来、デジタルビデオカメラやデジタルカメラなどの撮像装置では、撮影している被写体画像確認のために液晶や有機ＥＬのディスプレイ（パネル）や電子ビューファインダー（ＥＶＦ）などの表示装置を備えたものが普及している。
【０００３】
パネルには、ユーザーが見ている被写体を、記録している画像・画質でリアルタイムに表示することが理想である。しかしながら、近年、記録画像の多画素化や、画質改善機能が多機能化したことによって、信号処理に時間がかかり、表示遅延が生じている。表示遅延があると、パンやチルト、ズームなどのカメラ操作時にユーザーに違和感を与え、構図やフォーカスなどの確認が難しい。
【０００４】
また、表示遅延量は、撮影フレームレートにも依存し、フレームレートが遅い場合に遅延量は大きくなる。撮像装置の構成にもよるが、例えば、フレームレート２４Ｈｚの場合は、６０Ｈｚの場合よりも遅延量が２．５倍大きくなる。
【０００５】
テレビでも画質改善機能の多機能化によって、同様の問題がある。テレビにゲーム機器を接続してゲームを行う場合、テレビで画質改善処理を行うと複数フレーム時間の表示遅延が生じ、ユーザーの操作が遅れてゲーム結果が変わる場合や、ユーザーに違和感を与える場合があった。そこで、表示遅延低減のために、画質改善処理を簡略化した低遅延用の処理を行う方法や、フレームメモリの記憶処理と読み出し処理を同時に行う制御方法が特許文献１で提案されている。
【先行技術文献】
【特許文献】
【０００６】
【特許文献１】特許第４６９１１９３号
【発明の概要】
【発明が解決しようとする課題】
【０００７】
しかしながら、特許文献１は、撮像装置ではなく、入力信号を表示するテレビなどの映像表示装置特有の構成であり、また、１フレーム分以上の時間は必ず遅延する構成であった。
【０００８】
このような課題を鑑みて、本発明は、撮影している画像を表示装置に表示する場合の表示遅延時間を低減し、カメラユーザーの表示遅延による違和感を解消することを目的とする。
【課題を解決するための手段】
【０００９】
本発明の一側面としての撮像装置は、撮像素子の出力画像を縮小する第１の画像縮小部と、前記第１の画像縮小部による縮小後の画像を記憶する記憶部と、前記記憶部に記憶された画像を出力する外部出力部と、撮影している画像を表示する表示部と、前記第１の画像縮小部による縮小後の画像を、前記記憶部に記憶させることなく前記表示部の大きさに縮小処理する第２の画像縮小部と、前記表示部の大きさの画像に信号処理を行う表示部用信号処理部と、を有することを特徴とする。
【発明の効果】
【００１０】
本発明によれば、撮影している画像を表示装置に表示する場合の表示遅延時間を低減することが可能であり、カメラユーザーの表示遅延による違和感を解消することができる。
【図面の簡単な説明】
【００１１】
【図１】本発明の実施例１の主要なデータパスの接続例を示した機能構成ブロック図である。
【図２】実施例１の動作タイミングチャート例を示した図である。
【図３】実施例２の主要なデータパスの接続例を示した機能構成ブロック図である。
【図４】実施例２の動作タイミングチャート例を示した図である。
【図５】実施例３の主要なデータパスの接続例を示した機能構成ブロック図である。
【図６】実施例３の動作タイミングチャート例を示した図である。
【図７】実施例４の主要なデータパスの接続例を示した機能構成ブロック図である。
【図８】実施例４の動作タイミングチャート例を示した図である。
【図９】実施例５の主要なデータパスの接続例を示した機能構成ブロック図である。
【図１０】実施例５の動作タイミングチャート例を示した図である。
【図１１】実施例６の主要なデータパスの接続例を示した機能構成ブロック図である。
【図１２】実施例６の動作タイミングチャート例を示した図である。
【図１３】実施例７の主要なデータパスの接続例を示した機能構成ブロック図である。
【図１４】実施例７の動作タイミングチャート例を示した図である。
【図１５】表示用画像と記録用画像のどちらを表示しているかをパネルに示した図である。
【図１６】従来例の機能構成ブロック図である。
【図１７】従来例の動作タイミングチャート例を示した図である。
【発明を実施するための形態】
【００１２】
以下に、本発明の好ましい実施の形態を、添付の図面に基づいて詳細に説明する。各図において、同一の部材については同一の参照番号を付し、重複する説明は省略する。
【実施例１】
【００１３】
本実施例は、記録画像用の信号処理回路の一部分からＹＣＣ信号を抜き出して表示用画像処理回路に接続して表示遅延を低減する構成について、ビデオカメラを例として説明する。
【００１４】
まず、本実施例の機能構成について図１の機能構成ブロック図を用いて説明する。
【００１５】
センサー１００は、ＣＣＤやＣＭＯＳなどの撮像素子であり、不図示の撮影レンズ群で入射光量や合焦の調節を行い、結像された撮影画像を光電変換して、さらにアナログ・デジタル変換したデジタル信号を出力する。撮像素子の各画素には、Ｒ（赤）、Ｇ（緑）、Ｂ（青）のいずれかのカラーフィルタが、所定の配列、例えばベイヤー配列やハニカム配列で配置されており、色毎にＲＧＢ画像信号を出力する。また、高速出力のために、数個の画素を加算して１個の画素として出力画像を縮小する画素加算処理を行ってＲＧＢ画像信号を出力する場合もある。
【００１６】
リサイズ部（第１の画像縮小部）１０１は、センサー１００が出力したＲＧＢ画像信号をＲ（赤）、Ｇ（緑）、Ｂ（青）の色毎に重心を補正しながら信号処理部１０２が処理可能な大きさに縮小する。
【００１７】
信号処理部１０２は、ＲＧＢ画像信号を受信し、ＲＧＢ画像信号のオフセット調整、ゲイン調整、ガンマ補正処理を行う。そして、ＲＧＢ画像信号を輝度信号（Ｙ）と色差信号（Ｃｂ、Ｃｒ）に変換し、ＹＣＣ画像信号を記憶部１０３に書き込む。
【００１８】
信号処理部１０４は、記憶部１０３からＹＣＣ画像信号を読み出し、例えばレンズの歪曲収差の補正処理や、撮像装置の防振処理などを行い、記憶部１０５に書き込む。
【００１９】
信号処理部１０６は、記憶部１０５からＹＣＣ画像信号を読み出し、例えばノイズリダクション処理を行い、記憶部１０７に書き込む。
【００２０】
圧縮伸長部１０８は、記憶部１０７からＹＣＣ画像信号を読み出し、記録フォーマットに合わせて圧縮符号化して、記録メディア１０９に記録する。
【００２１】
外部出力部１１０は、記憶部１０７からＹＣＣ画像信号を読み出し、ＨＤＭＩ、ＳＤＩ、コンポーネント映像信号やコンポジット映像信号などの画像信号伝送フォーマットに合わせてフォーマット変換した画像信号を撮像装置外部に出力する。
【００２２】
リサイズ部（第２の画像縮小部）１１１は、信号処理部１０２が出力するＹＣＣ画像信号を用いて表示部であるパネルの表示サイズまで縮小する。縮小する際は、画像のエイリアシングを防止するため、画像の水平方向及び垂直方向に帯域制限フィルタで画像帯域を制御する。その後、バイキュービック法などの補間手法で画像を縮小する。
【００２３】
パネル用信号処理部（表示部用信号処理部）１１２は、リサイズ部１１１が出力するパネル表示サイズのＹＣＣ画像を受信し、パネルに合わせた色調整処理や解像度調整処理などを行う。
【００２４】
パネル出力部１１３は、パネルの受信フォーマットに合わせてフォーマット変換した画像信号をパネルに送信して画像を表示する。
【００２５】
従来は、図１６（ａ）の機能構成ブロック図のように、リサイズ部１１１は、信号処理部１０６から圧縮伸長処理以外の全ての記録画像用処理を行ったＹＣＣ画像信号を受信して、記憶部２１２に記憶していた。そして、パネル出力部１１３が、記憶部２１２から読み出した画像信号をパネルに送信して画像を表示していた。
【００２６】
次に、動作タイミングについて本実施例の動作タイミングチャートを示した図２に従いながら説明する。
【００２７】
本実施例では、センサー駆動周期とパネル駆動周期が等しく６０Ｈｚで同期しており、同期のタイミングは図２に示すように、センサーの同期に比べてパネルの同期が遅れたタイミングで同期している。また、センサーの画素数は水平４０９６ピクセル×垂直２１６０ライン＝８８４７３６０ピクセルであり、パネルの画素数は水平９６０ピクセル×垂直５４０ライン＝５１８４００ピクセルとする。
【００２８】
ステップＳ３１０において、センサー１００からＲＧＢ画像信号（水平４０９６ピクセル×垂直２１６０ライン）を出力する。
【００２９】
ステップＳ３１１において、リサイズ部１０１は、センサー１００が出力したＲＧＢ画像信号を信号処理部１０２が処理可能な大きさ（水平２０４８ピクセル×垂直１０８０ライン）に縮小する。
【００３０】
ステップＳ３１２において、信号処理部１０２は、ＲＧＢ画像信号を輝度信号（Ｙ）と色差信号（Ｃｂ、Ｃｒ）に変換する。ＹＣ変換する前にノイズリダクション処理を行ってもよい。変換したＹＣＣ画像信号を、記憶部１０３に書き込み、同時にリサイズ部１１１にも送信する。
【００３１】
ステップＳ３１３において、信号処理部１０４は、ステップＳ３１２で記憶部１０３に書き込んだＹＣＣ画像信号をステップＳ３１２処理の１フレーム時間後に読み出す。そして、レンズの歪曲収差の補正処理や、撮像装置の防振処理などを行った後、記憶部１０５に書き込む。
【００３２】
ステップＳ３１４において、信号処理部１０６は、ステップＳ３１３で記憶部１０５に書き込んだＹＣＣ画像信号をステップＳ３１３処理の１フレーム時間後に読み出す。そして、ノイズリダクション処理を行った後、記憶部１０７に書き込む。
【００３３】
ステップＳ３１５において、外部出力部１１０は、ステップＳ３１４で記憶部１０７に書き込んだＹＣＣ画像信号をステップＳ３１４処理の１フレーム時間後に読み出す。そして、ＨＤＭＩ、ＳＤＩ、コンポーネント映像信号やコンポジット映像信号などの画像信号伝送フォーマットに合わせてフォーマット変換した画像信号を撮像装置外部に出力する。
【００３４】
従来の構成の場合、リサイズ部１１１が信号処理部１０６から画像を受信して画像縮小処理後に記憶部２１２に記憶していた。
【００３５】
そのため、図１７（ａ）に示すように、ステップＳ４１６において、信号処理部１０６より送信されたＹＣＣ画像信号をリサイズ部１１１でＹＣＣ画像縮小処理を行い、パネルの表示サイズ（水平９６０ピクセル×垂直５４０ライン）まで縮小する。
【００３６】
そして、ステップＳ４１７において、パネル出力部１１３が、記憶部２１２から読み出した画像信号をパネルに送信して画像を表示する。
【００３７】
すなわち、ステップＳ４１５と同時にステップＳ４１７のパネル出力処理期間があり、ステップＳ４１０から数えると３フレーム時間のパネル表示遅延が発生している。フレームレート６０Ｈｚの場合、約５０[ｍｓ]の遅延である。
【００３８】
なお、ステップＳ４１０からステップＳ４１５は、ステップＳ３１０からステップＳ３１５に対応している。
【００３９】
本実施例では、ステップＳ３１２の後、ステップＳ３１６において、信号処理部１０２より送信されたＹＣＣ画像信号をリサイズ部１１１でＹＣＣ画像縮小処理を行い、パネルの表示サイズ（水平９６０ピクセル×垂直５４０ライン）まで縮小する。
【００４０】
ステップＳ３１７において、パネル用信号処理部１１２は、パネルに合わせた色の調整処理や解像度調整処理などを行う。
【００４１】
ステップＳ３１８において、パネル出力部１１３が、パネルの受信フォーマットに合わせてフォーマット変換した画像信号をパネルに画像を表示する。
【００４２】
本実施例の構成の場合、センサー１００からＲＧＢ画像信号が出力されてからパネル表示されるまで１フレーム時間以内で処理されており、撮影している画像を表示装置に表示する場合の表示遅延時間を１フレーム時間以内とすることが可能である。
【００４３】
各記憶部については、ＤＲＡＭ等のメモリが使用されており、１個の記憶部をアドレス制御によって使用する構成でも、複数の記憶部を使用する構成でもよい。
【００４４】
なお、センサー駆動周期とパネル駆動周期の同期を制御する制御部は、図に記載していないが必要であり、周期の制御と遅延時間の制御をセンサーとパネルで各々制御可能である構成が望ましい。具体的には、センサーとパネルの同期信号の遅延量を計測し、センサー駆動周期を基準として、パネル駆動周期の同期信号の駆動遅延量が所定の範囲内に入るよう調節する。センサー駆動周期とパネル駆動周期は、本実施例のように同一周期の場合は制御が容易であるが、同一周期に限定はしない。
【００４５】
また、図に記載していないが、各ブロックを制御するＣＰＵなどの制御ブロックは必要であり、特に信号処理やパネル用信号処理の設定調整などを行う必要がある。
【実施例２】
【００４６】
本実施例は、記録画像用の信号処理回路の一部分からＲＧＢ画像信号を抜き出して表示用画像処理回路に接続して表示遅延を低減する構成について、ビデオカメラを例として説明する。
【００４７】
まず、本実施例の機能構成について図３の機能構成ブロック図を用いて説明する。実施例１と同一の参照番号を付した同一の構成については説明を省略し、異なる構成について説明する。
【００４８】
リサイズ部１１４は、リサイズ部１０１が出力するＲＧＢ画像をパネルの表示サイズまで縮小する。縮小する際は、画像のエイリアシングを防止するため、画像の水平方向及び垂直方向に帯域制限フィルタで画像帯域を制御する。その後、バイキュービック法などの補間手法で画像を縮小する。
【００４９】
パネル用信号処理部１１５は、リサイズ部１１４が出力するパネル表示サイズのＲＧＢ画像を受信してパネルに合わせた色の調整処理や、解像度調整処理などを行い、ＲＧＢ画像信号を出力する。
【００５０】
記憶部１１６は、記録画像用の信号処理部１０２がノイズリダクション処理を行う場合に必要であり、リサイズ部１０１の出力のＲＧＢ画像を記憶する。
【００５１】
従来は、図１６（ｂ）の機能構成ブロック図のように、リサイズ部１１１が、信号処理部１０６から圧縮伸長処理以外の全ての記録画像用処理を行ったＹＣＣ画像信号を受信して、記憶部２１２に記憶していた。そして、パネル出力部１１３が、記憶部２１２から読み出した画像信号をパネルに送信して画像を表示していた。
【００５２】
次に、動作タイミングについて本実施例の動作タイミングチャートを示した図４に従いながら説明する。
【００５３】
本実施例では、センサー駆動周期とパネル駆動周期が等しく６０Ｈｚで同期しており、同期のタイミングは図４に示すように、センサーの同期に比べてパネルの同期が遅れたタイミングで同期している。また、センサーの画素数は水平４０９６ピクセル×垂直２１６０ライン＝８８４７３６０ピクセルであり、パネルの画素数は水平９６０ピクセル×垂直５４０ライン＝５１８４００ピクセルとする。
【００５４】
ステップＳ３２０において、センサー１００からＲＧＢ画像信号（水平４０９６ピクセル×垂直２１６０ライン）を出力する。
【００５５】
ステップＳ３２１において、リサイズ部１０１は、センサー１００が出力したＲＧＢ画像信号を信号処理部１０２が処理可能な大きさ（水平２０４８ピクセル×垂直１０８０ライン）に縮小して、記憶部１１６に書き込むと同時にリサイズ部１１４にも送信する。
【００５６】
ステップＳ３２２において、信号処理部１０２は、ＲＧＢ画像信号を輝度信号（Ｙ）と色差信号（Ｃｂ、Ｃｒ）に変換する。ＹＣ変換する前にノイズリダクション処理を行ってもよい。変換したＹＣＣ画像信号を、記憶部１０３に書きこむ。
【００５７】
ステップＳ３２３において、信号処理部１０４は、ステップＳ３２２で記憶部１０３に書き込んだＹＣＣ画像信号をステップＳ３２２処理の１フレーム時間後に読み出す。そして、レンズの歪曲収差の補正処理や、撮像装置の防振処理などを行った後、記憶部１０５に書き込む。
【００５８】
ステップＳ３２４において、信号処理部１０６は、ステップＳ３２３で記憶部１０５に書き込んだＹＣＣ画像信号をステップＳ３２３処理の１フレーム時間後に読み出し、ノイズリダクション処理を行った後、記憶部１０７に書き込む。
【００５９】
ステップＳ３２５において、外部出力部１１０は、ステップＳ３２４で記憶部１０７に書き込んだＹＣＣ画像信号をステップＳ３２４処理の１フレーム時間後に読み出す。そして、ＨＤＭＩ、ＳＤＩ、コンポーネント映像信号やコンポジット映像信号などの画像信号伝送フォーマットに合わせてフォーマット変換した画像信号を撮像装置外部に出力する。
【００６０】
従来の構成の場合、リサイズ部１１１が信号処理部１０６から画像を受信して画像縮小処理後に記憶部２１２に記憶していた。
【００６１】
そのため、図１７（ｂ）に示すように、ステップＳ４２６において、信号処理部１０６より送信されたＹＣＣ画像信号をリサイズ部１１１でＹＣＣ画像縮小処理を行い、パネルの表示サイズ（水平９６０ピクセル×垂直５４０ライン）まで縮小する。
【００６２】
そして、ステップＳ４２７において、パネル出力部１１３が、記憶部２１２から読み出した画像信号をパネルに送信して画像を表示する。
【００６３】
すなわち、ステップＳ４２５と同時にステップＳ４２７のパネル出力処理期間があり、ステップＳ４２０から数えると４フレーム時間のパネル表示遅延が発生している。フレームレート６０Ｈｚの場合、約６７[ｍｓ]の遅延である。
【００６４】
なお、ステップＳ４２０からステップＳ４２５は、ステップＳ３２０からステップＳ３２５に対応している。
【００６５】
本実施例では、ステップＳ３２１の後、ステップＳ３２６において、リサイズ部１０１より送信されたＲＧＢ画像信号をリサイズ部１１４でＲＧＢ画像縮小処理を行い、パネルの表示サイズ（水平９６０ピクセル×垂直５４０ライン）まで縮小する。
【００６６】
ステップＳ３２７において、パネル用信号処理部１１５は、パネルに合わせた色の調整処理や解像度調整処理などを行う。
【００６７】
ステップＳ３２８において、パネル出力部１１３が、パネルの受信フォーマットに合わせてフォーマット変換した画像信号をパネルに送信して画像を表示する。
【００６８】
本実施例の構成の場合、センサー１００からＲＧＢ画像信号が出力されてからパネル表示されるまで１フレーム時間以内で処理されており、撮影している画像を表示装置に表示する場合の表示遅延時間を１フレーム時間以内とすることが可能である。
【００６９】
各記憶部については、ＤＲＡＭ等のメモリが使用されており、１個の記憶部をアドレス制御によって使用する構成でも、複数の記憶部を使用する構成でもよい。
【００７０】
なお、センサー駆動周期とパネル駆動周期の同期を制御する制御部は、図に記載していないが必要であり、周期の制御と遅延時間の制御をセンサーとパネルで各々制御可能である構成が望ましい。具体的には、センサーとパネルの同期信号の遅延量を計測し、センサー駆動周期を基準として、パネル駆動周期の同期信号の駆動遅延量が所定の範囲内に入るよう調節する。センサー駆動周期とパネル駆動周期は本実施例のように同一周期の場合は制御が容易であるが、同一周期に限定はしない。
【００７１】
また、図に記載していないが、各ブロックを制御するＣＰＵなどの制御ブロックは必要であり、特に信号処理やパネル用信号処理の設定調整などを行う必要がある。
【実施例３】
【００７２】
本実施例は、記録画像用の信号処理回路の一部分からＹＣＣ信号を抜き出して表示用画像処理回路に接続して表示遅延を低減する構成について、ビデオカメラを例として説明する。本実施例では、センサー駆動フレームレートとパネル出力フレームレートが異なる。
【００７３】
まず、本実施例の機能構成について図５の機能構成ブロック図を用いて説明する。実施例１、２と同一の参照番号を付した同一の構成については説明を省略し、異なる構成について説明する。
【００７４】
記憶部１１７は、フレームレートの変換に必要なブロックである。パネル用信号処理部１１２のパネルに合わせた色の調整処理や解像度調整処理までは、センサー駆動周期と同じフレームレートで動作して記憶部１１７に画像を記憶する。
【００７５】
次に、動作タイミングについて本実施例の動作タイミングチャートを示した図６に従いながら説明する。
【００７６】
本実施例では、センサー駆動周期とパネル駆動周期が異なるが同期している場合であり、センサー駆動周期は２４Ｈｚ、パネル駆動周期は６０Ｈｚである。同期のタイミングは図６に示すように、センサー同期に比べてパネル同期は周期が短く、遅れたタイミングで同期している。また、センサーの画素数は水平４０９６ピクセル×垂直２１６０ライン＝８８４７３６０ピクセルであり、パネルの画素数は水平９６０ピクセル×垂直５４０ライン＝５１８４００ピクセルとする。
【００７７】
ステップＳ３３０において、センサー１００からＲＧＢ画像信号（水平４０９６ピクセル×垂直２１６０ライン）を出力する。
【００７８】
ステップＳ３３１において、リサイズ部１０１は、センサー１００が出力したＲＧＢ画像信号を信号処理部１０２が処理可能な大きさ（水平２０４８ピクセル×垂直１０８０ライン）に縮小する。
【００７９】
ステップＳ３３２において、信号処理部１０２は、ＲＧＢ画像信号を輝度信号（Ｙ）と色差信号（Ｃｂ、Ｃｒ）に変換する。ＹＣ変換する前にノイズリダクション処理を行ってもよい。変換したＹＣＣ画像信号を、記憶部１０３に書き込み、同時にリサイズ部１１１にも送信する。
【００８０】
ステップＳ３３３において、信号処理部１０４は、ステップＳ３３２で記憶部１０３に書き込んだＹＣＣ画像信号をステップＳ３１２処理の１フレーム時間後に読み出す。そして、レンズの歪曲収差の補正処理や、撮像装置の防振処理などを行った後、記憶部１０５に書き込む。
【００８１】
ステップＳ３３４において、信号処理部１０６は、ステップＳ３３３で記憶部１０５に書き込んだＹＣＣ画像信号をステップＳ３３３処理の１フレーム時間後に読み出し、ノイズリダクション処理を行った後、記憶部１０７に書き込む。
【００８２】
ステップＳ３３５において、外部出力部１１０は、ステップＳ３３４で記憶部１０７に書き込んだＹＣＣ画像信号をステップＳ３３４処理の１フレーム時間後に読み出す。そして、ＨＤＭＩ、ＳＤＩ、コンポーネント映像信号やコンポジット映像信号などの画像信号伝送フォーマットに合わせてフォーマット変換した画像信号を撮像装置外部に出力する。
【００８３】
従来の構成の場合、図１６（ａ）に示すように、リサイズ部１１１が信号処理部１０６から画像を受信して画像縮小処理後に記憶部２１２に記憶していた。
【００８４】
そのため、図１７（ｃ）に示すように、ステップＳ４３６において、信号処理部１０６より送信されたＹＣＣ画像信号をリサイズ部１１１でＹＣＣ画像縮小処理を行い、パネルの表示サイズ（水平９６０ピクセル×垂直５４０ライン）まで縮小する。
【００８５】
そして、ステップＳ４３７において、パネル出力部１１３が、記憶部２１２から読み出した画像信号をパネルに送信して画像を表示する。
【００８６】
すなわち、ステップＳ４３５と同時にステップＳ４３７のパネル出力処理期間があり、ステップＳ４３０から数えると３フレーム時間のパネル表示遅延が発生している。フレームレート６０Ｈｚの場合、約５０[ｍｓ]の遅延である。
【００８７】
なお、ステップＳ４３０からステップＳ４３５は、ステップＳ３３０からステップＳ３３５に対応している。
【００８８】
本実施例では、ステップＳ３３２の後、ステップＳ３３６において、信号処理部１０２より送信されたＹＣＣ画像信号をリサイズ部１１１でＹＣＣ画像縮小処理を行い、パネルの表示サイズ（水平９６０ピクセル×垂直５４０ライン）まで縮小する。
【００８９】
ステップＳ３３７において、パネル用信号処理部１１２は、パネルに合わせた色の調整処理や解像度調整処理などを行い、記憶部１１７に画像を記憶する。
【００９０】
ステップＳ３３８において、パネル出力部１１３が、パネル駆動周期に合わせて記憶部１１７から画像を読み出し、パネルの受信フォーマットに合わせてフォーマット変換した画像信号をパネルに送信して画像を表示する。センサーの読み出し１フレーム毎にパネル出力部１１３は、２フレームまたは３フレーム同じ画像を記憶部１１７から読み出す。
【００９１】
本実施例の構成の場合、センサー１００からＲＧＢ画像信号が出力されてからパネル表示されるまで２フレーム時間以内で処理されており、撮影している画像を表示装置に表示する場合の表示遅延時間を２フレーム時間以内とすることが可能である。
【００９２】
各記憶部については、ＤＲＡＭ等のメモリが使用されており、１個の記憶部をアドレス制御によって使用する構成でも、複数の記憶部を使用する構成でもよい。
【００９３】
なお、センサー駆動周期とパネル駆動周期の同期を制御する制御部は、図に記載していないが必要であり、周期の制御と遅延時間の制御をセンサーとパネルで各々制御可能である構成が望ましい。具体的には、センサーとパネルの同期信号の遅延量を計測し、センサー駆動周期を基準として、パネル駆動周期の同期信号の駆動遅延量が所定の範囲内に入るよう調節する。
【００９４】
また、図に記載していないが、各ブロックを制御するＣＰＵなどの制御ブロックは必要であり、特に信号処理やパネル用信号処理の設定調整などを行う必要がある。
【００９５】
また、センサー読み出し１フレーム毎にパネル出力フレームは２フレームまたは３フレームの出力となるため、パネル用信号処理部１１２が出力する画像とパネル出力部１１３が受信する画像のフレーム管理を行う必要がある。
【実施例４】
【００９６】
本実施例は、記録画像用の信号処理回路の一部分からＲＧＢ画像信号を抜き出して、表示用画像処理回路に接続して表示遅延を低減した画像と、記録画像の画質を確認するための画像とを切り替えて表示する構成について、ビデオカメラを例として説明する。
【００９７】
まず、本実施例の機能構成について図７の機能構成ブロック図を用いて説明する。実施例１〜３と同一の参照番号を付した同一の構成については説明を省略し、異なる構成について説明する。
【００９８】
リサイズ部（第３の画像縮小部）１１８は、記憶部１０７からＹＣＣ画像信号を読み出し、パネルの表示サイズまで縮小し、縮小後、ＹＣＣ画像信号をＲＧＢ画像信号に変換する。縮小する際は、画像のエイリアシングを防止するため、画像の水平方向及び垂直方向に帯域制限フィルタで画像帯域を制御する。その後、バイキュービック法などの補間手法で画像を縮小する。
【００９９】
画質確認切替部１１９は、通常、表示遅延を低減したリサイズ部１１４の出力を選択して出力する。記録画像の画質の確認を行う場合は、記録画像と同じ信号処理を行った画像を縮小したリサイズ部１１８の出力を選択する。画像の選択は、ユーザーが設定するか、またはビデオカメラが撮影状況から自動に設定する。自動設定の場合に記録画像と同じ信号処理を行った画像を表示するのは、ズーム、パンニング又はモード設定などのカメラ操作が一定時間操作されない場合や少ない場合である。撮影被写体の動きが少ない場合、またはホワイトバランス調整モードやマニュアルフォーカス調整モードの場合などもある。
【０１００】
パネル用信号処理部１２０は、画質確認切替部１１９が出力するパネル表示サイズのＲＧＢ画像を受信し、パネルに合わせた色調整処理や解像度調整処理などを行う。
【０１０１】
パネル出力部１２１は、パネルの受信フォーマットに合わせてフォーマット変換した画像信号をパネルに送信して画像を表示する。このとき、記録画像と同じ信号処理を行った画像と、表示遅延低減のための表示用信号処理を行った画像のどちらを選択しているかをユーザーに知らせるために、パネルには選択結果を文字や画像で明示する。
【０１０２】
表示遅延低減のための表示用信号処理を行った画像を表示する場合は、図１５（ａ）に示すように画面右下にＰａｎｅｌの頭文字Ｐを表示する。記録画像と同じ信号処理を行った画像を表示する場合は、図１５（ｂ）に示すように画面右下にＲｅｃｏｒｄの頭文字Ｒを表示する。
【０１０３】
次に、動作タイミングについて本実施例の動作タイミングチャートを示した図８に従いながら説明する。
【０１０４】
本実施例では、センサー駆動周期とパネル駆動周期が等しく６０Ｈｚで同期しており、同期のタイミングは図８に示すように、センサーの同期に比べてパネルの同期が遅れたタイミングで同期している。また、センサーの画素数は水平４０９６ピクセル×垂直２１６０ライン＝８８４７３６０ピクセルであり、パネルの画素数は水平９６０ピクセル×垂直５４０ライン＝５１８４００ピクセルとする。
【０１０５】
ステップＳ３４０において、センサー１００からＲＧＢ画像信号（水平４０９６ピクセル×垂直２１６０ライン）を出力する。
【０１０６】
ステップＳ３４１において、リサイズ部１０１は、センサー１００が出力したＲＧＢ画像信号を信号処理部１０２が処理可能な大きさ（水平２０４８ピクセル×垂直１０８０ライン）に縮小し、信号処理部１０２とリサイズ部１１４に送信する。
【０１０７】
ステップＳ３４２において、信号処理部１０２は、ＲＧＢ画像信号を輝度信号（Ｙ）と色差信号（Ｃｂ、Ｃｒ）に変換する。ＹＣ変換する前にノイズリダクション処理を行ってもよい。変換したＹＣＣ画像信号を、記憶部１０３に書き込む。
【０１０８】
ステップＳ３４３において、信号処理部１０４は、ステップＳ３４２で記憶部１０３に書き込んだＹＣＣ画像信号をステップＳ３４２処理の１フレーム時間後に読み出す。そして、レンズの歪曲収差の補正処理や、撮像装置の防振処理などを行った後、記憶部１０５に書き込む。
【０１０９】
ステップＳ３４４において、信号処理部１０６は、ステップＳ３４３で記憶部１０５に書き込んだＹＣＣ画像信号をステップＳ３４３処理の１フレーム時間後に読み出し、ノイズリダクション処理を行った後、記憶部１０７に書き込む。
【０１１０】
ステップＳ３４５において、外部出力部１１０は、ステップＳ３４４で記憶部１０７に書き込んだＹＣＣ画像信号をステップＳ３４４処理の１フレーム時間後に読み出す。そして、ＨＤＭＩやＳＤＩ、コンポーネントやコンポジットなどの画像信号伝送フォーマットに合わせてフォーマット変換した画像信号を撮像装置外部に出力する。
【０１１１】
ステップＳ３４６において、リサイズ部１１８は、記憶部１０７からＹＣＣ画像信号を読み出し、パネルの表示サイズまで縮小し、縮小後、ＹＣＣ画像信号をＲＧＢ画像信号に変換する。
【０１１２】
従来の構成の場合、図１６（ａ）に示すように、リサイズ部１１１が信号処理部１０６から画像を受信して画像縮小処理後に記憶部２１２に記憶していた。
【０１１３】
そのため、図１７（ａ）に示すように、ステップＳ４１６において、信号処理部１０６より送信されたＹＣＣ画像信号をリサイズ部１１１でＹＣＣ画像縮小処理を行い、パネルの表示サイズ（水平９６０ピクセル×垂直５４０ライン）まで縮小する。
【０１１４】
そして、ステップＳ４１７において、パネル出力部１１３が、記憶部２１２から読み出した画像信号をパネルに送信して画像を表示する。
【０１１５】
すなわち、ステップＳ４１５と同時にステップＳ４１７のパネル出力処理期間があり、ステップＳ４１０から数えると３フレーム時間のパネル表示遅延が発生している。フレームレート６０Ｈｚの場合、約５０[ｍｓ]の遅延である。
【０１１６】
なお、ステップＳ４１０からステップＳ４１５は、ステップＳ３４０からステップＳ３４５に対応している。
【０１１７】
本実施例では、ステップＳ３４１の後、ステップＳ３４７において、リサイズ部１０１より送信されたＲＧＢ画像信号をリサイズ部１１４でＲＧＢ画像縮小処理を行い、パネルの表示サイズ（水平９６０ピクセル×垂直５４０ライン）まで縮小する。
【０１１８】
ステップＳ３４８において、パネル出力部１２１が、パネルの受信フォーマットに合わせてフォーマット変換した画像信号をパネルに送信して画像を表示する。パネルに表示する画像は、画質確認切替部１１９で、記録画像と同じ信号処理を行った画像と、表示遅延低減のための表示用信号処理を行った画像のどちらかを選択し、パネル用信号処理部１２０でパネルに合わせた色調整処理や解像度調整処理などを行う。
【０１１９】
本実施例の構成の場合、ステップＳ３４０からステップＳ３４８まで１フレーム時間以内で処理され、撮影している画像を表示装置に表示する場合の表示遅延時間を通常１フレーム時間以内とすることが可能である。記録画像と同じ信号処理を行った画像を表示する場合は、４フレーム時間以内の表示となるが、記録画像の確認が可能である。
【０１２０】
各記憶部については、ＤＲＡＭ等のメモリが使用されており、１個の記憶部をアドレス制御によって使用する構成でも、複数の記憶部を使用する構成でもよい。
【０１２１】
なお、センサー駆動周期とパネル駆動周期の同期を制御する制御部は、図に記載していないが必要であり、周期の制御と遅延時間の制御をセンサーとパネルで各々制御可能である構成が望ましい。具体的には、センサーとパネルの同期信号の遅延量を計測し、センサー駆動周期を基準として、パネル駆動周期の同期信号の駆動遅延量が所定の範囲内に入るよう調節する。センサー駆動周期とパネル駆動周期は本実施例のように同一周期の場合は制御が容易であるが、同一周期に限定はしない。
【０１２２】
また、図に記載していないが、各ブロックを制御するＣＰＵなどの制御ブロックは必要であり、特に信号処理、パネル用信号処理、画質確認切替の設定や調整などを行う必要がある。
【実施例５】
【０１２３】
本実施例は、記録画像用の信号処理回路の一部分からＲＧＢ画像信号を抜き出して、表示用画像処理回路に接続して表示遅延を低減した画像と、記録画像の色を確認するための画像とを切り替えて表示する構成について、ビデオカメラを例として説明する。
【０１２４】
まず、本実施例の機能構成について図９の機能構成ブロック図を用いて説明する。実施例１〜４と同一の参照番号を付した同一の構成については説明を省略し、異なる構成について説明する。
【０１２５】
色確認切替部１２２は、通常、表示遅延を低減したリサイズ部１１４の出力を選択して出力する。記録画像の色の確認を行う場合は、記録画像と同じ色処理を行った画像を縮小したリサイズ部１１８の出力を選択する。画像の選択は、ユーザーが設定するか、またはビデオカメラが撮影状況から自動に設定する。自動設定の場合に記録画像と同じ色信号処理を行った画像を表示するのは、ズーム、パンニング又はモード設定などのカメラ操作が一定時間されない場合や少ない場合である。撮影被写体の動きが少ない場合、またはホワイトバランス調整モードの場合などもある。
【０１２６】
表示遅延低減のための表示用信号処理を行った画像を表示する場合は、図１５（ａ）に示すように画面右下にＰａｎｅｌの頭文字Ｐを表示する。記録画像と同じ色信号処理を行った画像を表示する場合は、図１５（ｃ）に示すように画面右下にＣｏｌｏｒの頭文字Ｃを表示する。
【０１２７】
なお、リサイズ部１１８は、実施例４の場合と異なり、記憶部１０３からＹＣＣ画像信号を読み出し、パネルの表示サイズまで縮小し、縮小後、ＹＣＣ画像信号をＲＧＢ画像信号に変換する。縮小する際は、画像のエイリアシングを防止するため、画像の水平方向、垂直方向各々に帯域制限フィルタで画像帯域を制御する。
【０１２８】
次に、動作タイミングについて本実施例の動作タイミングチャートを示した図１０に従いながら説明する。
【０１２９】
本実施例では、センサー駆動周期とパネル駆動周期が等しく６０Ｈｚで同期しており、同期のタイミングは図１０に示すとおり、センサーの同期に比べてパネルの同期が遅れたタイミングで同期している。また、センサーの画素数は水平４０９６ピクセル×垂直２１６０ライン＝８８４７３６０ピクセルであり、パネルの画素数は水平９６０ピクセル×垂直５４０ライン＝５１８４００ピクセルとする。
【０１３０】
ステップＳ３５０において、センサー１００からＲＧＢ画像信号（水平４０９６ピクセル×垂直２１６０ライン）を出力する。
【０１３１】
ステップＳ３５１において、リサイズ部１０１は、センサー１００が出力したＲＧＢ画像信号を信号処理部１０２が処理可能な大きさ（水平２０４８ピクセル×垂直１０８０ライン）に縮小し、信号処理部１０２とリサイズ部１１４に送信する。
【０１３２】
ステップＳ３５２において、信号処理部１０２は、ＲＧＢ画像信号を輝度信号（Ｙ）と色差信号（Ｃｂ、Ｃｒ）に変換する。ＹＣ変換する前にノイズリダクション処理を行ってもよい。変換したＹＣＣ画像信号を、記憶部１０３に書き込む。
【０１３３】
ステップＳ３５３において、信号処理部１０４は、ステップＳ３５２で記憶部１０３に書き込んだＹＣＣ画像信号をステップＳ３５２処理の１フレーム時間後に読み出す。そして、レンズの歪曲収差の補正処理や、撮像装置の防振処理などを行った後、記憶部１０５に書き込む。
【０１３４】
ステップＳ３５４において、信号処理部１０６は、ステップＳ３５３で記憶部１０５に書き込んだＹＣＣ画像信号をステップＳ３５３処理の１フレーム時間後に読み出し、ノイズリダクション処理を行い、記憶部１０７に書き込む。
【０１３５】
ステップＳ３５５において、外部出力部１１０は、ステップＳ３５４で記憶部１０７に書き込んだＹＣＣ画像信号をステップＳ３５４処理の１フレーム時間後に読み出す。そして、ＨＤＭＩやＳＤＩ、コンポーネントやコンポジットなどの画像信号伝送フォーマットに合わせてフォーマット変換した画像信号を撮像装置外部に出力する。
【０１３６】
ステップＳ３５６において、リサイズ部１１８は、記憶部１０３からＹＣＣ画像信号を読み出し、パネルの表示サイズまで縮小し、縮小後、ＹＣＣ画像信号をＲＧＢ画像信号に変換する。
【０１３７】
従来の構成の場合、図１６（ａ）に示すように、リサイズ部１１１が信号処理部１０６から画像を受信して画像縮小処理後に記憶部２１２に記憶していた。
【０１３８】
そのため、図１７（ａ）に示すように、ステップＳ４１６において、信号処理部１０６より送信されたＹＣＣ画像信号をリサイズ部１１１でＹＣＣ画像縮小処理を行い、パネルの表示サイズ（水平９６０ピクセル×垂直５４０ライン）まで縮小する。
【０１３９】
そして、ステップＳ４１７において、パネル出力部１１３が、記憶部２１２から読み出した画像信号をパネルに送信して画像を表示する。
【０１４０】
すなわち、ステップＳ４１５と同時にステップＳ４１７のパネル出力処理期間があり、ステップＳ４１０から数えると３フレーム時間のパネル表示遅延が発生している。フレームレート６０Ｈｚの場合、約５０[ｍｓ]の遅延である。
【０１４１】
なお、ステップＳ４１０からステップＳ４１５は、ステップＳ３５０からステップＳ３５５に対応している。
【０１４２】
本実施例では、ステップＳ３５１の後、ステップＳ３５７において、リサイズ部１０１より送信されたＲＧＢ画像信号をリサイズ部１１４でＲＧＢ画像縮小処理を行い、パネルの表示サイズ（水平９６０ピクセル×垂直５４０ライン）まで縮小する。
【０１４３】
ステップＳ３５８において、パネル出力部１２１が、パネルの受信フォーマットに合わせてフォーマット変換した画像信号をパネルに送信して画像を表示する。パネルに表示する画像は、色確認切替部１２２で、記録画像と同じ色信号処理を行った画像と、表示遅延低減のために表示用信号処理を行った画像のどちらかを選択し、パネル用信号処理部１２０でパネルに合わせた色調整処理や解像度調整処理などを行う。
【０１４４】
本実施例の構成の場合、ステップＳ３５０からステップＳ３５８まで１フレーム時間以内で処理され、撮影している画像を表示装置に表示する場合の表示遅延時間を通常１フレーム時間以内とすることが可能である。記録画像と同じ色信号処理を行った画像を表示する場合は、２フレーム時間以内の表示となるが、記録画像の色の確認が可能である。
【０１４５】
各記憶部については、１個の記憶部をアドレス制御によって使用する構成でも、複数の記憶部を使用する構成でもよい。
【０１４６】
なお、センサー駆動周期とパネル駆動周期の同期を制御する制御部は、図に記載していないが必要であり、周期の制御と遅延時間の制御をセンサーとパネルで各々制御可能である構成が望ましい。具体的には、センサーとパネルの同期信号の遅延量を計測し、センサー駆動周期を基準として、パネル駆動周期の同期信号の駆動遅延量が所定の範囲内に入るよう調節する。センサー駆動周期とパネル駆動周期は本実施例のように同一周期の場合は制御が容易であるが、同一周期に限定はしない。
【０１４７】
また、図に記載していないが、各ブロックを制御するＣＰＵなどの制御ブロックは必要であり、特に信号処理、パネル用信号処理、色確認切替の設定や調整などを行う必要がある。
【実施例６】
【０１４８】
本実施例は、記録画像用の信号処理回路の一部分からＲＧＢ画像信号を抜き出して、表示用画像処理回路に接続して表示遅延を低減した画像と、記録画像のフォーカスを確認するための画像とを切り替えて表示する構成について、ビデオカメラを例として説明する。
【０１４９】
まず、本実施例の機能構成について図１１の機能構成ブロック図を用いて動作を説明する。実施例１〜５と同一の参照番号を付した同一の構成については説明を省略し、異なる構成について説明する。
【０１５０】
フォーカス確認切替部１２３は、通常、表示遅延を低減したリサイズ部１１４の出力を選択して出力する。記録画像のフォーカスの確認を行う場合は、記録画像と同じレンズの歪曲収差の補正処理や撮像装置の防振処理を行った画像を縮小したリサイズ部１１８の出力を選択する。画像の選択は、ユーザーが設定するか、またはビデオカメラが撮影状況から自動に設定する。自動設定の場合に記録画像と同じ信号処理を行った画像を表示するのは、ズーム、パンニング又はモード設定などのカメラ操作が一定時間されない場合や少ない場合である。撮影被写体の動きが少ない場合、またはマニュアルフォーカス調整モードの場合などもある。
【０１５１】
表示遅延低減のための表示用信号処理を行った画像を表示する場合は、図１５（ａ）に示すように画面右下にＰａｎｅｌの頭文字Ｐを表示する。記録画像のフォーカス確認のための画像を表示する場合は、図１５（ｄ）に示すように画面右下にＦｏｃｕｓの頭文字Ｆを表示する。
【０１５２】
なお、リサイズ部１１８は、実施例４、５の場合と異なり、記憶部１０５からＹＣＣ画像信号を読み出し、パネルの表示サイズまで縮小し、縮小後、ＹＣＣ画像信号をＲＧＢ画像信号に変換する。縮小する際は、画像のエイリアシングを防止するため、画像の水平方向、垂直方向各々に帯域制限フィルタで画像帯域を制御する。その後、バイキュービック法などの補間手法で画像を縮小する。
【０１５３】
次に、動作タイミングについて本実施例の動作タイミングチャートを示した図１２に従いながら説明する。
【０１５４】
本実施例では、センサー駆動周期とパネル駆動周期が等しく６０Ｈｚで同期しており、同期のタイミングは図１２に示すとおり、センサーの同期に比べてパネルの同期が遅れたタイミングで同期している。また、センサーの画素数は水平４０９６ピクセル×垂直２１６０ライン＝８８４７３６０ピクセルであり、パネルの画素数は水平９６０ピクセル×垂直５４０ライン＝５１８４００ピクセルとする。
【０１５５】
ステップＳ３６０において、センサー１００からＲＧＢ画像信号（水平４０９６ピクセル×垂直２１６０ライン）を出力する。
【０１５６】
ステップＳ３６１において、リサイズ部１０１は、センサー１００が出力したＲＧＢ画像信号を信号処理部１０２が処理可能な大きさ（水平２０４８ピクセル×垂直１０８０ライン）に縮小して、信号処理部１０２とリサイズ部１１４に送信する。
【０１５７】
ステップＳ３６２において、信号処理部１０２は、ＲＧＢ画像信号を輝度信号（Ｙ）と色差信号（Ｃｂ、Ｃｒ）に変換する。ＹＣ変換する前にノイズリダクション処理を行ってもよい。変換したＹＣＣ画像信号を、記憶部１０３に書き込む。
【０１５８】
ステップＳ３６３において、信号処理部１０４は、ステップＳ３６２で記憶部１０３に書き込んだＹＣＣ画像信号をステップＳ３６２処理の１フレーム時間後に読み出す。そして、レンズの歪曲収差の補正処理や、撮像装置の防振処理などを行った後、記憶部１０５に書き込む。
【０１５９】
ステップＳ３６４において、信号処理部１０６は、ステップＳ３６３で記憶部１０５に書き込んだＹＣＣ画像信号をステップＳ３６３処理の１フレーム時間後に読み出し、ノイズリダクション処理を行った後、記憶部１０７に書き込む。
【０１６０】
ステップＳ３６５において、外部出力部１１０は、ステップＳ３６４で記憶部１０７に書き込んだＹＣＣ画像信号をステップＳ３３４処理の１フレーム時間後に読み出す。そして、ＨＤＭＩやＳＤＩ、コンポーネントやコンポジットなどの画像信号伝送フォーマットに合わせてフォーマット変換した画像信号を撮像装置外部に出力する。
【０１６１】
ステップＳ３６６において、リサイズ部１１８は、記憶部１０５からＹＣＣ画像信号を読み出し、パネルの表示サイズまで縮小し、縮小後、ＹＣＣ画像信号をＲＧＢ画像信号に変換する。
【０１６２】
従来の構成の場合、図１６（ａ）に示すように、リサイズ部１１１が信号処理部１０６から画像を受信して画像縮小処理後に記憶部２１２に記憶していた。
【０１６３】
そのため、図１７（ａ）に示すように、ステップＳ４１６において、信号処理部１０６より送信されたＹＣＣ画像信号をリサイズ部１１１でＹＣＣ画像縮小処理を行い、パネルの表示サイズ（水平９６０ピクセル×垂直５４０ライン）まで縮小する。
【０１６４】
そして、ステップＳ４１７において、パネル出力部１１３が、記憶部２１２から読み出した画像信号をパネルに送信して画像を表示する。
【０１６５】
すなわち、ステップＳ４１５と同時にステップＳ４１７のパネル出力処理期間があり、ステップＳ４１０から数えると３フレーム時間のパネル表示遅延が発生している。フレームレート６０Ｈｚの場合、約５０[ｍｓ]の遅延である。
【０１６６】
なお、ステップＳ４１０からステップＳ４１５は、ステップＳ３６０からステップＳ３６５に対応している。
【０１６７】
本実施例では、ステップＳ３６１の後、ステップＳ３６７において、リサイズ部１０１より送信されたＲＧＢ画像信号をリサイズ部１１４でＲＧＢ画像縮小処理を行い、パネルの表示サイズ（水平９６０ピクセル×垂直５４０ライン）まで縮小する。
【０１６８】
ステップＳ３６８において、パネル出力部１２１が、パネルの受信フォーマットに合わせてフォーマット変換した画像信号をパネルに送信して画像を表示する。パネルに表示する画像は、フォーカス確認切替部１２３で記録画像と同じレンズの歪曲収差の補正処理や撮像装置の防振処理を行った画像と、表示遅延低減のために表示用信号処理を行った画像のどちらかを選択する。そして、パネル用信号処理部１２０でパネルに合わせた色調整処理や解像度調整処理などを行う。
【０１６９】
本実施例の構成の場合、ステップＳ３６０からステップＳ３６８まで１フレーム時間以内で処理され、撮影している画像を表示装置に表示する場合の表示遅延時間を通常１フレーム時間以内とすることが可能である。記録画像のフォーカス確認のための画像を表示する場合は、３フレーム時間以内の表示となるが、記録画像のフォーカス確認が可能である。
【０１７０】
各記憶部については、ＤＲＡＭ等のメモリが使用されており、１個の記憶部をアドレス制御によって使用する構成でも、複数の記憶部を使用する構成でもよい。
【０１７１】
なお、センサー駆動周期とパネル駆動周期の同期を制御する制御部は、図に記載していないが必要であり、周期の制御と遅延時間の制御をセンサーとパネルで各々制御可能である構成が望ましい。具体的には、センサーとパネルの同期信号の遅延量を計測し、センサー駆動周期を基準として、パネル駆動周期の同期信号の駆動遅延量が所定の範囲内に入るよう調節する。センサー駆動周期とパネル駆動周期は本実施例のように同一周期の場合は制御が容易であるが、同一周期に限定はしない。
【０１７２】
また、図に記載していないが、各ブロックを制御するＣＰＵなどの制御ブロックは必要であり、特に信号処理、パネル用信号処理部、フォーカス確認切替の設定や調整などを行う必要がある。
【実施例７】
【０１７３】
本実施例は、記録画像用の信号処理回路の一部分からＲＧＢ画像信号を抜き出して、表示用画像処理回路に接続して表示遅延を低減した画像と、記録画像の画質を確認するための画像とを切り替えて表示する構成について、ビデオカメラを例として説明する。本実施例では、センサー駆動フレームレートとパネル出力フレームレートが異なる。
【０１７４】
まず、本実施例の機能構成について図１３の機能構成ブロック図を用いて説明する。実施例１〜６と同一の参照番号を付した同一の構成については説明を省略し、異なる構成について説明する。
【０１７５】
記憶部１２４と記憶部１２５は、フレームレートの変換に必要なブロックである。
【０１７６】
なお、リサイズ部１１８は、実施例４〜７の場合と異なり、信号処理部１０６からＹＣＣ画像信号を読み出し、パネルの表示サイズまで縮小し、縮小後、ＹＣＣ画像信号をＲＧＢ画像信号に変換する。縮小する際は、画像のエイリアシングを防止するため、画像の水平方向、垂直方向各々に帯域制限フィルタで画像帯域を制御する。その後、バイキュービック法などの補間手法で画像を縮小する。
【０１７７】
記録画像処理は、信号処理部１０６、リサイズ部１１８まではセンサー駆動周期と同じフレームレートで動作して各々記憶部１０７と記憶部１２４に画像を記憶する。
【０１７８】
表示遅延時間を低減した処理は、リサイズ部１１４まではセンサー駆動周期と同じフレームレートで動作して記憶部１２５に画像を記憶する。
【０１７９】
画質確認切替部１１９は、通常、記憶部１２５に書き込まれた表示遅延を低減した画像を選択して出力する。記録画像の画質の確認を行う場合は、記憶部１２４に書き込まれた記録画像と同じ信号処理を行った画像を選択する。画像の選択は、ユーザーが設定するか、またはビデオカメラが撮影状況から自動に設定する。自動設定の場合に記録画像と同じ信号処理を行った画像を表示するのは、ズーム、パンニング又はモード設定などのカメラ操作が一定時間操作されない場合や少ない場合である。撮影被写体の動きが少ない場合、またはホワイトバランス調整モードやマニュアルフォーカス調整モードの場合などもある。
【０１８０】
表示遅延低減のための表示用信号処理を行った画像を表示する場合は、図１５（ａ）に示すように画面右下にＰａｎｅｌの頭文字Ｐを表示する。記録画像と同じ信号処理を行った画像を表示する場合は、図１５（ｂ）に示すように画面右下にＲｅｃｏｒｄの頭文字Ｒを表示する。
【０１８１】
次に、動作タイミングについて本実施例の動作タイミングチャートを示した図１４に従いながら説明する。
【０１８２】
本実施例では、センサー駆動周期とパネル駆動周期が異なるが同期している場合であり、センサー駆動周期は２４Ｈｚ、パネル駆動周期は６０Ｈｚである。同期のタイミングは図１４に示すように、センサー同期に比べてパネル同期は周期が短く、遅れたタイミングで同期している。また、センサーの画素数は水平４０９６ピクセル×垂直２１６０ライン＝８８４７３６０ピクセルであり、パネルの画素数は水平９６０ピクセル×垂直５４０ライン＝５１８４００ピクセルとする。
【０１８３】
ステップＳ３７０において、センサー１００からＲＧＢ画像信号（水平４０９６ピクセル×垂直２１６０ライン）を出力する。
【０１８４】
ステップＳ３７１において、リサイズ部１０１は、センサー１００が出力したＲＧＢ画像信号を信号処理部１０２が処理可能な大きさ（水平２０４８ピクセル×垂直１０８０ライン）に縮小して、信号処理部１０２とリサイズ部１１４に送信する。
【０１８５】
ステップＳ３７２において、信号処理部１０２は、ＲＧＢ画像信号を輝度信号（Ｙ）と色差信号（Ｃｂ、Ｃｒ）に変換する。ＹＣ変換する前にノイズリダクション処理を行ってもよい。変換したＹＣＣ画像信号を、記憶部１０３に書き込む。
【０１８６】
ステップＳ３７３において、信号処理部１０４は、ステップＳ３７２で記憶部１０３に書き込んだＹＣＣ画像信号をステップＳ３７２処理の１フレーム時間後に読み出す。そのため、レンズの歪曲収差の補正処理や、撮像装置の防振処理などを行った後、記憶部１０５に書き込む。
【０１８７】
ステップＳ３７４において、信号処理部１０６は、ステップＳ３７３で記憶部１０５に書き込んだＹＣＣ画像信号をステップＳ３７３処理の１フレーム時間後に読み出し、ノイズリダクション処理を行った後、記憶部１０７に書き込む。
【０１８８】
ステップＳ３７５において、外部出力部１１０は、ステップＳ３７４で記憶部１０７に書き込んだＹＣＣ画像信号をステップＳ３７４処理の１フレーム時間後に読み出す。そして、ＨＤＭＩやＳＤＩ、コンポーネントやコンポジットなどの画像信号伝送フォーマットに合わせてフォーマット変換した画像信号を撮像装置外部に出力する。
【０１８９】
ステップＳ３７６において、リサイズ部１１８は、信号処理部１０６の出力したＹＣＣ画像の縮小処理を行い、パネルの表示サイズ（水平９６０ピクセル×垂直５４０ライン）まで縮小して記憶部１２４に画像を書き込む。
【０１９０】
従来の構成の場合、図１６（ａ）に示すように、リサイズ部１１１が信号処理部１０６から画像を受信して画像縮小処理後に記憶部２１２に記憶していた。
【０１９１】
そのため、図１７（ｃ）に示すように、ステップＳ４３６において、信号処理部１０６より送信されたＹＣＣ画像信号をリサイズ部１１１でＹＣＣ画像縮小処理を行い、パネルの表示サイズ（水平９６０ピクセル×垂直５４０ライン）まで縮小する。
【０１９２】
そして、ステップＳ４３７において、パネル出力部１１３が、記憶部２１２から読み出した画像信号をパネルに送信して画像を表示する。
【０１９３】
すなわち、ステップＳ４３５と同時にステップＳ４３７のパネル出力処理期間があり、ステップＳ４３０から数えると３フレーム時間のパネル表示遅延が発生している。フレームレート６０Ｈｚの場合、約５０[ｍｓ]の遅延である。
【０１９４】
なお、ステップＳ４３０からステップＳ４３５は、ステップＳ３７０からステップＳ３７５に対応している。
【０１９５】
本実施例では、ステップＳ３７１の後、ステップＳ３７７において、リサイズ部１０１より送信されたＲＧＢ画像信号をリサイズ部１１４でＲＧＢ画像縮小処理を行い、パネルの表示サイズ（水平９６０ピクセル×垂直５４０ライン）まで縮小する。そして、縮小後の画像を記憶部１２５に書き込む。
【０１９６】
ステップＳ３７８において、パネル出力部１２１が、パネルの受信フォーマットに合わせてフォーマット変換した画像信号をパネルに送信して画像を表示する。パネル用信号処理部１２０は、センサー読み出し１フレーム毎に２フレームまたは３フレーム同じ画像を記憶部１２４又は記憶部１２５から読み出す。
【０１９７】
本実施例の構成の場合、ステップＳ３７０からステップＳ３７８まで２フレーム時間以内で処理され、撮影している画像を表示装置に表示する場合の表示遅延時間を通常２フレーム時間以内とすることが可能である。
【０１９８】
各記憶部については、ＤＲＡＭ等のメモリが使用されており、１個の記憶部をアドレス制御によって使用する構成でも、複数の記憶部を使用する構成でもよい。
【０１９９】
なお、センサー駆動周期とパネル駆動周期の同期を制御する制御部は、図に記載していないが必要であり、周期の制御と遅延時間の制御をセンサーとパネルで各々制御可能である構成が望ましい。具体的には、センサーとパネルの同期信号の遅延量を計測し、センサー駆動周期を基準として、パネル駆動周期の同期信号の駆動遅延量が所定の範囲内に入るよう調節する。
【０２００】
また、図に記載していないが、各ブロックを制御するＣＰＵなどの制御ブロックは必要であり、特に信号処理や、パネル用信号処理の設定調整などを行う必要がある。
【０２０１】
また、センサー読み出し１フレーム毎にパネル出力フレームは２フレームまたは３フレームの出力となる。そのため、リサイズ部１１８が記憶部１２４に記憶した画像フレームまたはリサイズ部１１４が記憶部１２５に記憶した画像フレームと、画質確認切替部１１９が記憶部１２４または記憶部１２５から読み出す画像のフレーム管理を行う必要がある。
【０２０２】
以上、本発明の好ましい実施形態について説明したが、本発明はこれらの実施形態に限定されず、その要旨の範囲内で種々の変形及び変更が可能である。
【符号の説明】
【０２０３】
１００                  センサー
１０１                  リサイズ部
１０３、１０５、１０７  記憶部
１１０                  外部出力部
１１１                  リサイズ部
１１２                  パネル用信号処理部
【図１７】
2014154909.tif 000003
【図１】
2014154909.tif 000004
【図２】
2014154909.tif 000005
【図３】
2014154909.tif 000006
【図４】
2014154909.tif 000007
【図５】
2014154909.tif 000008
【図６】
2014154909.tif 000009
【図７】
2014154909.tif 000010
【図８】
2014154909.tif 000011
【図９】
2014154909.tif 000012
【図１０】
2014154909.tif 000013
【図１１】
2014154909.tif 000014
【図１２】
2014154909.tif 000015
【図１３】
2014154909.tif 000016
【図１４】
2014154909.tif 000017
【図１５】
2014154909.tif 000018
【図１６】
2014154909.tif 000019